(57)【特許請求の範囲】
【請求項１】
肌対向面を形成する表面シート、非肌対向面を形成する裏面シート及び両シートの間に介在された縦長の吸収体を有する吸収性本体の長手方向に沿う両側部に、弾性部材の収縮力によって一対の立体ギャザーが形成される展開型の使い捨ておむつであって、
肌対向面側においては、股下領域から腹側領域に亘り、且つ前記一対の立体ギャザーで囲まれた領域に、キャラクターを含む第１グラフィックが形成されており、
非肌対向面側においては、股下領域から腹側領域に亘り、前記第１グラフィックとは別に設けられたキャラクターを含む第２グラフィックが形成されており、
前記第１グラフィックのキャラクターと前記第２グラフィックのキャラクターとは、同一のキャラクターであり、
前記使い捨ておむつを引き伸ばした状態を肌対向面側から視た際に、前記第１グラフィックが視認可能に形成されており、
前記使い捨ておむつを引き伸ばした状態を非肌対向面側から視た際に、前記第２グラフィックが視認可能に形成されている展開型の使い捨ておむつ。
【請求項２】
前記使い捨ておむつは、前記吸収性本体の背側領域の左右両側縁部に一対のファスニングテープと、前記吸収性本体を構成する前記裏面シートの腹側領域の非肌対向面に、該ファスニングテープを止着させるランディングテープとを備え、
前記第２グラフィックのキャラクターが、前記裏面シートにおける前記吸収体と重なる領域、ファスニングテープ及びランディングテープの何れかに形成されている請求項１記載の展開型の使い捨ておむつ。
【請求項３】
前記第１グラフィックのキャラクター及び前記第２グラフィックのキャラクターは、線画で描かれている請求項１又は２に記載の展開型の使い捨ておむつ。
【請求項４】
前記第１グラフィックは、複数の前記キャラクターを含み、該複数のキャラクターが、長手方向に間欠的に配されている請求項１〜３の何れか１項に記載の展開型の使い捨ておむつ。
【請求項５】
前記第１グラフィックは、複数の前記キャラクターを含み、該複数のキャラクターが、ランダムに配されている請求項１〜４の何れか１項に記載の展開型の使い捨ておむつ。
【請求項６】
前記複数のキャラクターの内の最も大きなキャラクターが、前記使い捨ておむつを包装体内に包装する際に形成される折り曲げ線上に重なっている請求項４又は５に記載の展開型の使い捨ておむつ。
【請求項７】
前記使い捨ておむつは、前記表面シートと前記吸収体との間に、液透過性のサブレイヤーを備え、
前記第１グラフィックは、前記サブレイヤーに形成されている請求項１〜６の何れか１項に記載の展開型の使い捨ておむつ。
【発明の詳細な説明】
【技術分野】
【０００１】
本発明は、子供用等の展開型の使い捨ておむつに関する。
【背景技術】
【０００２】
一般的に、使い捨ておむつには、排泄物の横漏れを効果的に防止する為に、左右の両側部に防漏壁の役割を担う一対の立体ギャザーが設けられている。しかし、おむつの交換の際、不慣れであったり、慌てていたりすると、立体ギャザーを正しい位置に配することが難しい。このように、立体ギャザーが正しい位置に配されていなかったり、吸収体がヨレた状態になっていたりすると、使い捨ておむつの機能を十分に発揮することができず、排泄物を十分に吸収できず、横漏れを起こしてしまう。
【０００３】
特許文献１，２には、一対の立体ギャザーが配されていると共に、着用者の関心を引く為の図柄が配された展開型の使い捨ておむつが記載されている。特許文献１に記載の使い捨ておむつには、図柄が肌対向面側にのみ配されている。また、特許文献２に記載の使い捨ておむつには、図柄が非肌対向面側にのみ配されている。
【先行技術文献】
【特許文献】
【０００４】
【特許文献１】特開２００７−５０８０７０号公報
【特許文献２】特開２０１３−１９２８１９号公報
【発明の概要】
【発明が解決しようとする課題】
【０００５】
しかし、特許文献１，２には、立体ギャザーと図柄との関係に関して、何ら記載されておらず、立体ギャザーを正しい位置に配することに関して記載されていない。また、特許文献１，２には、図柄を肌対向面側及び非肌対向面側の両側に配することに関して何ら記載されていない。
【０００６】
したがって本発明は、前述した従来技術が有する欠点を解消し得る展開型の使い捨ておむつを提供することにある。
【課題を解決するための手段】
【０００７】
本発明は、肌対向面を形成する表面シート、非肌対向面を形成する裏面シート及び両シートの間に介在された縦長の吸収体を有する吸収性本体の長手方向に沿う両側部に、弾性部材の収縮力によって一対の立体ギャザーが形成される展開型の使い捨ておむつであって、肌対向面側においては、股下領域から腹側領域に亘り、且つ前記一対の立体ギャザーで囲まれた領域に、キャラクターを含む第１グラフィックが配されており、非肌対向面側においては、股下領域から腹側領域に亘り、前記第１グラフィックとは別に設けられたキャラクターを含む第２グラフィックが配されており、前記第１グラフィックのキャラクターと前記第２グラフィックのキャラクターとは、同一のキャラクターである展開型の使い捨ておむつを提供するものである。
【発明の効果】
【０００８】
本発明によれば、排泄物を十分に吸収でき、横漏れを起こし難い。
【図面の簡単な説明】
【０００９】
【図１】図１は、本発明の一実施形態である展開型の使い捨ておむつの斜視図である。
【図２】図２は、図１に示す展開型の使い捨ておむつを伸長させた状態を表面シート側から見た平面図である。
【図３】図３は、図１に示す展開型の使い捨ておむつを伸長させた状態を裏面シート側から見た平面図である。
【図４】図４は、図２に示すＩＶ−ＩＶ線断面図である。
【図５】図５は、本発明の他の実施形態である展開型の使い捨ておむつを伸長させた状態を表面シート側から見た平面図である（図２相当図）。
【発明を実施するための形態】
【００１０】
以下、本発明をその好ましい実施形態に基づき図面を参照しながら説明する。
本実施形態の展開型の使い捨ておむつ１（以下、「おむつ１」ともいう。）は、図１〜図３に示すように、肌対向面を形成する表面シート２、非肌対向面を形成する裏面シート３及び両シート２，３の間に介在された縦長の吸収体４を有する吸収性本体１０の長手方向に沿う両側部１０ｓ，１０ｓに、弾性部材の収縮力によって一対の立体ギャザー５，５が形成されている使い捨ておむつである。吸収性本体１０は、腹側領域Ａ、背側領域Ｂ及び股下領域Ｃに区分されている。ここで、腹側領域Ａとは着用時に着用者の腹側に位置する領域であり、背側領域Ｂとは着用時に着用者の背側に位置する領域であり、股下領域Ｃとは腹側領域Ａと背側領域Ｂとの間に配される領域である。
【００１１】
本明細書において、「肌対向面」とは、おむつ１又はその構成部材（例えば吸収性本体１０）における、着用時に着用者の肌側に向けられる面であり、「非肌対向面」とは、おむつ１又はその構成部材における、着用時に着用者の肌側とは反対側（着衣側）に向けられる面である。
また、各図に示す「Ｘ方向」は、おむつ１又はその構成部材である縦長な吸収性本体１０の長手方向に延びる中心線ＣＬに平行な方向である。また各図に示す「Ｙ方向」は、中心線ＣＬに直交する方向であり、おむつ１又はその構成部材である縦長な吸収性本体１０の幅方向と同じ方向でもある。
【００１２】
おむつ１の吸収性本体１０は、図１〜図３に示すように、腹側領域Ａの左右両側縁及び背側領域Ｂの左右両側縁それぞれが股下領域Ｃの左右両側縁よりも幅方向（Ｙ方向）外方に延出している。そして、股下領域Ｃの左右両側縁が幅方向（Ｙ方向）内方（中心線ＣＬ側）に向かって円弧状に湾曲しており、全体として長手方向（Ｘ方向）中央部が内方に括れた形状を有している。
【００１３】
おむつ１の吸収性本体１０は、図２〜図４に示すように、肌対向面側に配された液透過性の表面シート２と、非肌対向面側に配された液難透過性の裏面シート３と、これら両シート２，３間に配された吸収体４とを備えている。また、おむつ１においては、図２，図４に示すように、表面シート２と吸収体４との間に、液透過性のサブレイヤー１１を備えている。
【００１４】
おむつ１においては、図２，図３に示すように、表面シート２及び裏面シート３は、それぞれ、長手方向（Ｘ方向）に長い吸収体４の全周、即ち、左右両側縁及び前後両端縁から外方に延出している。おむつ１の表面シート２は、その長手方向（Ｘ方向）の寸法が、裏面シート３の長手方向（Ｘ方向）の寸法と同じであるが、その幅方向（Ｙ方向）の寸法が、裏面シート３の幅方向（Ｙ方向）の寸法より小さくなっている。表面シート２及び裏面シート３はそれぞれ、吸収体４の周縁から外方に延出した延出部において直接的に又は他の部材を介在させて互いに接合されており、吸収体４を挟持・固定している。
【００１５】
おむつ１の裏面シート３は、図４に示すように、液不透過性又は撥水性の樹脂フィルム３１と、樹脂フィルム３１の非肌対向面に配されておむつ１の非肌対向面（外面）を形成する不織布３２とからなる積層体である。
また、おむつ１の吸収体４は、図４に示すように、パルプ繊維等の繊維の集合体に吸水性ポリマーの粒子を保持させてなる吸収性コア４１と、該吸収性コア４１を被覆するコアラップシート４２とからなる。
【００１６】
おむつ１のサブレイヤー１１は、図２に示すように、長手方向（Ｘ方向）に長い長方形状のものであり、図４に示すように、吸収体４と重なる位置に配されている。
【００１７】
図２，図４に示すように、おむつ１の長手方向（Ｘ方向）に沿う両側部それぞれには、Ｙ方向に伸長状態で固定された弾性部材５１を有する立体ギャザー形成用シート５２が、表面シート２の側部に配され固定されており、弾性部材５１の収縮力によって一対の立体ギャザー５，５（図１参照）が形成される。また、図２，図３に示すように、おむつ１の長手方向（Ｘ方向）に沿う両側部それぞれには、レッグギャザー形成用のレッグ弾性部材５３がＹ方向に伸長状態に配されており、レッグ弾性部材５３の収縮力によりレッグギャザーが形成される。尚、おむつ１の背側領域Ｂ側の長手方向（Ｘ方向）端部に、ウエストギャザー形成用のウエスト部弾性部材をＸ方向に伸長状態に配して、該ウエスト部弾性部材の収縮によりウエストギャザーを形成するようにしてもよい。
【００１８】
おむつ１は、図１〜図３に示すように、吸収性本体１０の背側領域Ｂの左右両側縁部１０ｓ，１０ｓに一対のファスニングテープ６，６と、吸収性本体１０を構成する裏面シート３の腹側領域Ａの非肌対向面に、該ファスニングテープ６を止着させるランディングテープ７とを備えている。各ファスニングテープ６は、吸収性本体１０の背側領域Ｂにおいて、長手方向（Ｘ方向）に沿う側縁部１０ｓから、幅方向（Ｙ方向）外方に延出するように取り付けられている。各ファスニングテープ６は、テープ基材シート６１と、テープ基材シート６１のＹ方向の外方側に複数個の係合突起を有するフック材６２とを有している。各ファスニングテープ６は、図２，図３に示すように、使用前においては、表面シート２側に折り返されており、使用時においては、展開して用いられる。各ファスニングテープ６は、展開状態において、ファスニングテープ６の平面視形状と等しく形成されたテープ基材シート６１のＹ方向の外方側に、フック材６２を固定して形成されている。
【００１９】
おむつ１のランディングテープ７は、Ｙ方向に長い矩形状に形成されており、吸収性本体１０の腹側領域Ａにおいて、裏面シート３の非肌対向面上に配され固定されている。
【００２０】
おむつ１は、図１，図２に示すように、肌対向面側においては、股下領域Ｃから腹側領域Ａに亘り、且つ一対の立体ギャザー５，５で囲まれた領域であって吸収体４と重なる領域に、キャラクター８１を含む第１グラフィック８が形成されており、図１，図３に示すように、非肌対向面側においては、股下領域Ｃから腹側領域Ａに亘り、第１グラフィック８とは別に設けられたキャラクター９１を含む第２グラフィック９が形成されている。具体的に、本実施形態のおむつ１においては、背側領域Ｂから腹側領域Ａの全域に亘って、肌対向面側に第１グラフィック８が形成され、非肌対向面側に第２グラフィック９が形成されている。
【００２１】
ここで、肌対向面側に第１グラフィック８が形成されているとは、図２に示すように、ファスニングテープ６を展開し使用前のおむつ１を引き伸ばした状態を肌対向面側から視た際に、第１グラフィック８が視認可能に形成されていることを意味する。詳述すると、例えば、吸収性本体１０を構成する表面シート２の肌対向面に第１グラフィック８が印刷されており、使用前のおむつ１を引き伸ばした状態を肌対向面側から視た際に、第１グラフィック８が視認可能となっている状態のみならず、表面シート２の非肌対向面に第１グラフィック８が印刷されており、使用前のおむつ１を引き伸ばした状態を肌対向面側から視た際に、第１グラフィック８が視認可能となっている状態も含む意味である。同様に、非肌対向面側に第２グラフィック９が形成されているとは、図３に示すように、ファスニングテープ６を展開し使用前のおむつ１を引き伸ばした状態を非肌対向面側から視た際に、第２グラフィック９が視認可能に形成されていることを意味する。詳述すると、例えば、吸収性本体１０を構成する裏面シート３の樹脂フィルム３１の肌対向面に第２グラフィック９が印刷されており、使用前のおむつ１を引き伸ばした状態を非肌対向面側から視た際に、第２グラフィック９が視認可能となっている状態のみならず、裏面シート３の樹脂フィルム３１の非肌対向面に第２グラフィック９が印刷されており、使用前のおむつ１を引き伸ばした状態を非肌対向面側から視た際に、第２グラフィック９が視認可能となっている状態も含む意味である。
【００２２】
尚、第１グラフィック８と第２グラフィック９とは別に設けられた図柄であり、例えば１個のグラフィックを共通に、おむつ１の肌対向面側からも非肌対向面側からも視認可能な図柄は含まれない。
【００２３】
また、第１グラフィック８が含むキャラクター８１及び第２グラフィック９が含むキャラクター９１とは、表情のある図柄を意味し、具体的には、人物、動物、擬人化した図柄を含んでいる。擬人化した図柄としては、乗り物、食べ物、植物、動物、文字、音符、星、虹、雲、楽器、図形等を擬人化した図柄が挙げられる。第１グラフィック８は、１個のキャラクター８１のみから形成されていてもよく、複数個のキャラクター８１から形成されていてもよく、擬人化した図柄以外の、乗り物、食べ物、植物、動物、文字、音符、星、虹、雲、楽器、図形等の図柄と、キャラクター８１とから形成されていてもよい。複数個のキャラクター８１から形成されている場合、それらのキャラクター８１は、同形同大でもよく、相似の関係でもよく、動作や表情等の仕草が異なっていてもよい。第２グラフィック９も第１グラフィック８と同様である。
【００２４】
具体的に、おむつ１の第１グラフィック８は、従来この種の使い捨ておむつに用いられてきたインクを、フレキソ、グラビア、インクジェット方式等の公知の方法により、図４に示すように、吸収体４と重なる領域に配されたサブレイヤー１１の肌対向面に印刷して形成されている。おむつ１の第１グラフィック８は、図２に示すように、異なる仕草のキャラクター８１を含んでいる。詳述すると、おむつ１の第１グラフィック８は、仕草の異なる複数（おむつ１においては４匹）のウサギを擬人化したキャラクター８１と、植物である複数の花の図柄と、昆虫である蝶々の図柄を含んで形成されている。
【００２５】
また、おむつ１においては、図２に示すように、仕草の異なる複数（おむつ１においては４匹）のウサギを擬人化したキャラクター８１が、長手方向（Ｘ方向）に間欠的に配されている。そして、複数（おむつ１においては４匹）のウサギを擬人化したキャラクター８１の内の最も大きなキャラクター８１が、おむつ１を包装体内に包装する際に形成される折り曲げ線ＦＬ上に配されている。折り曲げ線ＦＬは、おむつ１においては、おむつ１を二つ折りする際に形成されており、全体で１本形成されている。
【００２６】
おむつ１の第２グラフィック９は、第１グラフィック８と同様に、従来この種の使い捨ておむつに用いられてきたインクを、フレキソ、グラビア、インクジェット方式等の公知の方法により、図４に示すように、裏面シート３を構成する樹脂フィルム３１の非肌対向面に印刷して形成されている。おむつ１の第２グラフィック９は、図３に示すように、異なる仕草のキャラクター９１を含んでいる。詳述すると、おむつ１の第２グラフィック９は、仕草の異なる複数（おむつ１においては１１匹）のウサギを擬人化したキャラクター８１と、植物である複数の花の図柄と、昆虫である蝶々の図柄を含んで形成されている。
【００２７】
図３に示すように、おむつ１においては、第２グラフィック９の複数のキャラクター９１が、裏面シート３における吸収体４と重なる領域に形成されている。そして、仕草の異なる複数（おむつ１においては１１匹）のウサギを擬人化したキャラクター９１が、ランダムに配されている。
【００２８】
また、第２グラフィック９のキャラクター９１は、おむつ１においては、図３に示すように、裏面シート３における吸収体４と重なる領域に形成されているのみならず、各ファスニングテープ６にもランディングテープ７にも形成されている。具体的には、各ファスニングテープ６には、ファスニングテープ６を展開した状態において、テープ基材シート６１の非肌対向面にインクを印刷して１匹のウサギを擬人化したキャラクター９１が形成されている。ランディングテープ７には、肌対向面にインクを印刷して１匹のウサギを擬人化したキャラクター９１が形成されている。尚、おむつ１においては、キャラクター９１が、裏面シート３における吸収体４と重なる領域、各ファスニングテープ６及びランディングテープ７に形成されているが、何れかに形成されていればよい。
【００２９】
また、図１〜図３に示すように、第１グラフィック８のキャラクター８１と第２グラフィック９のキャラクター９１とは、同一のキャラクターである。ここで、同一のキャラクターとは、動作や表情等の仕草が同じで大きさも同じの同形同大の関係のみならず、動作や表情等の仕草が同じで大きさの異なる相似の関係でもよく、動作や表情等の仕草が異なる関係でもよい。おむつ１においては、図２に示すように肌対向面側に形成された第１グラフィック８のウサギを擬人化したキャラクター８１と、図３に示すように非肌対向面側の裏面シート３における吸収体４と重なる領域、各ファスニングテープ６及びランディングテープ７に形成された第２グラフィック９のウサギを擬人化したキャラクター９１とが、仕草が異なる関係の同一のキャラクターである。
【００３０】
おむつ１においては、図２，図３に示すように、第１グラフィック８のウサギを擬人化したキャラクター８１と、第２グラフィック９のウサギを擬人化したキャラクター９１とは、共に線画で描かれている。線画の色は、コントラストが高くキャラクター８１及びキャラクター９１を認識し易い観点、及び排泄物と同色系の色でなく、排泄物がある状態でもキャラクター８１及びキャラクター９１を認識し易い観点から、青色又は緑色であることが好ましい。
【００３１】
また、第１グラフィック８のウサギを擬人化したキャラクター８１と、第２グラフィック９のウサギを擬人化したキャラクター９１とは、吸収体４の皺やヨレによってキャラクター８１及びキャラクター９１が歪んだとしても歪みが認知し易い観点から、長手方向（Ｘ方向）の大きさが、好ましくは１ｃｍ以上、更に好ましくは１．５ｃｍ以上であり、そして、好ましくは７ｃｍ以下、更に好ましくは６ｃｍ以下であり、具体的には、好ましくは１ｃｍ以上７ｃｍ以下、更に好ましくは１．５ｃｍ以上６ｃｍ以下である。
【００３２】
本実施形態のおむつ１の形成材料について説明する。
表面シート２としては、凹凸構造のシートを用いることができる。凹凸構造のシートとしては、具体的には、使い捨ておむつ１の肌対向面を形成する上層不織布と、非肌対向面側の下層不織布とから形成される２層構造の積層不織布が挙げられ、上層不織布と下層不織布とを多数の接合部にて部分的に接合して形成される。上層不織布は、前記接合部以外の部分において着用者の肌側に向けて突出しており、内部が空洞となっている多数の凸部を形成している。そして、前記凸部及び前記接合部が、交互に、且つＸ方向及びＹ方向に多列をなすように配置されて形成されている。凹凸構造のシートとしては、２層構造の積層不織布以外に、単層の不織布でもよい。単層の不織布の凹凸構造のシートとしては、例えば、特開２００２−１８７２２８号公報、特開２００４−３４５３５７号公報、特開２００４−２７５２９６号公報に記載のシート等を用いることもできる。尚、表面シート２としては、凹凸構造のシート以外に、通常、使い捨ておむつ等の吸収性物品に用いられるものを、特に制限なく用いることができる。
【００３３】
立体ギャザー形成用シート５２としては、通常、使い捨ておむつ等の吸収性物品に用いられるものであれば、特に制限なく用いることができる。立体ギャザー形成用シート５２としては、例えば、液不透過性又は撥水性の樹脂フィルムや該樹脂フィルムと不織布との積層体等を用いることができる。立体ギャザーを形成する弾性部材５１及びレッグ弾性部材５３としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００３４】
各ファスニングテープ６を形成するフック材６２及びテープ基材シート６１は、通常、使い捨ておむつ等の 吸収性物品に用いられるものであれば、特に制限なく用いることができる。例えば、フック材６２としては、「マジックテープ（登録商標）」（クラレ社製）、 「クイックロン（登録商標）」（ＹＫＫ社製）、「マジクロス（登録商標）」（カネボウベルタッチ社製）等におけるオス部材等を用いることができる。テープ基材シート６１としては、ポリエチレンや、ポリプロピレン、ポリエチレンテレフタレート等などの合成樹脂、及びこれら合成樹脂２種以上の複合材料からなる シートや不織布等を用いることができる。
ランディングテープ７としては、通常、使い捨ておむつ等の 吸収性物品に用いられるものであれば、特に制限なく用いることができる。例えば、ランディングテープ７としては、ポリエチレンや、ポリプロピレン、ポリエチレンテレフタレート等などの合成樹脂、及びこれら合成樹脂２種以上の複合材料からなる不織布等を用いることができる。
【００３５】
各部材の固定には、接着剤或いは熱融着等が利用される。用いられる接着剤としては、通常、使い捨ておむつ等の吸収性物品に用いられるものであれば、特に制限なく用いることができ、例えば、ホットメルト接着剤を用いることができる。ホットメルト接着剤としては、例えばスチレン−イソプレン−スチレンブロック共重合体（ＳＩＳ）、スチレン−ブタジエン−スチレンブロック共重合体（ＳＢＳ）、スチレン−エチレン−ブチレン−スチレン共重合体（ＳＥＢＳ）等のブロックコポリマー系のホットメルト接着剤が挙げられる。熱融着としては、使い捨ておむつ等の吸収性物品に用いられるものであれば、特に制限なく用いることができ、例えば、高周波シール、超音波シールを用いることができる。
【００３６】
上述した本発明の本実施形態のおむつ１を使用した際の作用効果について説明する。
おむつ１は、図１，図３に示すように、非肌対向面側に、キャラクター９１を含む第２グラフィック９が形成されているので、幼児や高齢者に着用させる前の状態において、先ず幼児等の保護者や高齢者等の介護者等に第２グラフィック９が視認されるようになっている。このように幼児等の保護者や高齢者等の介護者等に第２グラフィック９が視認されると、保護者や介護者等は、第２グラフィック９のキャラクター９１に気づき、キャラクター９１の全体のイメージを認識することができる。また、おむつ１は、図１，図２に示すように、肌対向面側にキャラクター８１を含む第１グラフィック８が形成されており、図１〜図３に示すように、第１グラフィック８のキャラクター８１と第２グラフィック９のキャラクター９１とが同一のキャラクターに形成されている。おむつ１は、自然状態において、立体ギャザー５を形成する弾性部材５１及びレッグギャザーを形成するレッグギャザー形成用のレッグ弾性部材５３等の弾性部材の収縮力等によって皺が多く発生しており、肌対向面側の第１グラフィック８に皺が寄り第１グラフィック８が認識し難くなっている。しかし、前述したように第１グラフィック８のキャラクター８１と第２グラフィック９のキャラクター９１とが同一のキャラクターに形成されているので、保護者や介護者等が、おむつ１を幼児や高齢者に着用させる際、認識した第２グラフィック９のキャラクター９１の全体のイメージから第１グラフィック９のキャラクター８１を想像しながら、皺の入った第１グラフィック８のキャラクター８１を想像したイメージになるように引き伸ばして、おむつ１を幼児や高齢者に着用させることができる。このようにおむつ１を幼児や高齢者に着用させると、一対の立体ギャザー５，５が幼児や高齢者の股間部の正しい位置に配し易い。このように、立体ギャザー５が正しい位置に配されると、おむつ１の機能を十分に発揮することができ、排泄物を十分に吸収でき、横漏れを起こし難くなる。
【００３７】
上述したように、先ず幼児等の保護者や高齢者等の介護者等に第２グラフィック９が視認され、第２グラフィック９のキャラクター９１の全体のイメージを認識することができるように、おむつ１は、第２グラフィック９のキャラクター９１は、皺が寄り難い裏面シート３における吸収体４と重なる領域、各ファスニングテープ６及びランディングテープ７に形成されている。
【００３８】
また、おむつ１は、図２，図３に示すように、第１グラフィック８のウサギを擬人化したキャラクター８１と、第２グラフィック９のウサギを擬人化したキャラクター９１とは、共に線画で描かれている。このように線画で描かれていると、肌対向面側の第１グラフィック８のキャラクター８１の皺が認識し易く、おむつ１を幼児や高齢者に着用させる際、皺の入った第１グラフィック８のキャラクター８１を引き伸ばす力加減が判断し易くなっている。その為、立体ギャザー５を更に正しい位置に配し易くなっている。
【００３９】
また、おむつ１は、図２に示すように、仕草の異なる複数（おむつ１においては４匹）のウサギを擬人化したキャラクター８１が、長手方向（Ｘ方向）に間欠的に配されている。その為、立体ギャザー５を形成する弾性部材５１及びレッグギャザーを形成するレッグギャザー形成用のレッグ弾性部材５３等の弾性部材の収縮力等によって肌対向面側の第１グラフィック８のキャラクター８１に皺が発生し易くなっている。このように第１グラフィック８のキャラクター８１に皺が発生し易くなっているため、おむつ１を幼児や高齢者に着用させる際、皺の入った第１グラフィック８のキャラクター８１を引き伸ばして皺がなくなるようにおむつ１を幼児や高齢者に着用させれば、一対の立体ギャザー５，５を幼児や高齢者の股間部の正しい位置に配することができるようになっている。
【００４０】
また、おむつ１は、図２に示すように、肌対向面側の第１グラフィック８の複数のキャラクター８１の内の最も大きなキャラクター８１が、おむつ１を包装体内に包装する際に形成される折り曲げ線ＦＬ上に配されている。その為、肌対向面側の第１グラフィック８のキャラクター８１の皺が認識し易く、おむつ１を幼児や高齢者に着用させる際、皺の入った第１グラフィック８のキャラクター８１を引き伸ばす力加減が判断し易くなっている。その為、立体ギャザー５を更に正しい位置に配し易くなっている。
【００４１】
また、おむつ１の表面シート２に、凹凸構造のシートを用い、肌対向面側の第１グラフィック８のキャラクター８１に皺が発生し易くなっていても、おむつ１を幼児や高齢者に着用させる際、皺の入った第１グラフィック８のキャラクター８１を引き伸ばしておむつ１を幼児や高齢者に着用させれば、一対の立体ギャザー５，５を幼児や高齢者の股間部の正しい位置に配することができるようになっている。
【００４２】
本発明の展開型の使い捨ておむつは、上述した本実施形態のおむつ１に何ら制限されるものではなく、適宜変更可能である。
例えば、上述したおむつ１は、図２，図３に示すように、肌対向面側に形成された第１グラフィック８のウサギを擬人化したキャラクター８１と、非肌対向面側に形成された第２グラフィック９のウサギを擬人化したキャラクター９１とが、仕草が異なる関係の同一のキャラクターであるが、動作や表情等の仕草が同じで大きさも同じの同形同大の関係の同一のキャラクターであってもよい。このような同形同大の関係の同一のキャラクターであれば、認識した第２グラフィック９のキャラクター９１の全体のイメージから第１グラフィック９のキャラクター８１を更に想像し易い。
【００４３】
また、おむつ１は、図２に示すように、肌対向面側に配された仕草の異なる複数（おむつ１においては４匹）のウサギを擬人化したキャラクター８１が、長手方向（Ｘ方向）に間欠的に配されているが、図５に示すように、ランダムに配されていてもよい。このようにランダムに配されていると、第１グラフィック８のキャラクター８１の様々な方向からの皺が認識し易く、おむつ１を幼児や高齢者に着用させる際、皺の入った第１グラフィック８のキャラクター８１を引き伸ばす力加減が判断し易くなっている。その為、立体ギャザー５を更に正しい位置に配し易くなっている。
【００４４】
また、おむつ１の第１グラフィック８は、図５に示すように、キャラクター８１の周囲に着色領域Ｔを有していてもよい。このように着色領域Ｔを有していれば、第１グラフィック８のキャラクター８１の皺が認識し易く、おむつ１を幼児や高齢者に着用させる際、皺の入った第１グラフィック８のキャラクター８１を引き伸ばす力加減が判断し易くなっている。その為、立体ギャザー５を更に正しい位置に配し易くなっている。
【００４５】
また、おむつ１の肌対向面の第１グラフィック８は、図４に示すように、サブレイヤー１１の肌対向面に形成されているが、サブレイヤー１１の吸収体４と重なる領域の非肌対向面、表面シート２の吸収体４と重なる領域の肌対向面、表面シート２の吸収体４と重なる領域の非肌対向面、吸収性コア４１を被覆するコアラップシート４２における吸収体４の上方に位置する領域の肌対向面、又は該領域の非肌対向面に形成されていてもよい。また、サブレイヤー１１を備えていなくてもよい。
【００４６】
また、おむつ１の非肌対向面の第２グラフィック９は、図４に示すように、裏面シート３を構成する樹脂フィルム３１の非肌対向面に形成されているが、該樹脂フィルム３１の吸収体４と重なる領域の肌対向面、裏面シート３の吸収体４と重なる領域の不織布３２の肌対向面、該不織布３２の非肌対向面、吸収性コア４１を被覆するコアラップシート４２における吸収体４の下方に位置する領域の肌対向面、又は該領域の非肌対向面に形成されていてもよい。
【００４７】
また、おむつ１においては、同一のキャラクターが、おむつ１の肌対向面及び非肌対向面に形成されているが、おむつ１を包装する包装体の表面にも形成されていてもよい。このように包装体の表面に同一のキャラクターが形成されていると、保護者や介護者等は、第２グラフィック９のキャラクター９１に気づく前に、包装体に形成されたキャラクターに気づくことができ、保護者や介護者等は、第２グラフィック９のキャラクター９１及び第１グラフィック８のキャラクター９１の全体のイメージを認識することができる。
【符号の説明】
【００４８】
１  展開型の使い捨ておむつ
２  表面シート
３  裏面シート
４  吸収体
５  立体ギャザー
５１  立体ギャザー形成用の弾性部材
５２  立体ギャザー形成用シート
５３  レッグギャザー形成用のレッグ弾性部材
６  ファスニングテープ
６１  テープ基材シート
６２  フック材
７  ランディングテープ
８  第１グラフィック
８１  キャラクター
９  第２グラフィック
９１  キャラクター
１０  吸収性本体
１０ｓ  長手方向（Ｘ方向）に沿う側部
１１  サブレイヤー
Ａ  腹側領域
Ｂ  背側領域
Ｃ  股下領域
ＣＬ  長手方向に延びる中心線
【図１】
0006355499.tif 000002
【図２】
0006355499.tif 000003
【図３】
0006355499.tif 000004
【図４】
0006355499.tif 000005
【図５】
0006355499.tif 000006